(57)【要約】【課題】レンズバレルとボディの衝突時に衝撃を緩和してカメラモジュールが損傷を受けることを防止できるカメラモジュールを提供する。【解決手段】本発明に係るカメラモジュールは、結像部に光を入射させるレンズを支持するレンズバレルと、レンズバレルを光軸に沿って移動させる駆動部と、レンズバレルを内部に収容するボディと、レンズバレルとボディの衝突時にレンズバレルとボディとの間に介在される緩衝部と、を含むことを特徴とする。【選択図】図１
2011028267.tif 000002
【特許請求の範囲】
【請求項１】
結像部に光を入射させるレンズを支持するレンズバレルと、
前記レンズバレルを光軸に沿って移動させる駆動部と、
前記レンズバレルを内部に収容するボディと、
前記レンズバレルと前記ボディの衝突時に、前記レンズバレルと前記ボディとの間に介在される緩衝部と、
を含むことを特徴とするカメラモジュール。
【請求項２】
前記緩衝部が、前記レンズバレルと前記ボディのうちの少なくとも１つから突出するように形成されることを特徴とする請求項１に記載のカメラモジュール。
【請求項３】
前記緩衝部が、
前記レンズバレルの移動方向側の端部に、前記ボディに向かって突出するように形成されることを特徴とする請求項２に記載のカメラモジュール。
【請求項４】
前記レンズバレルが、前記レンズバレルの移動をガイドするように突出形成されたガイド部をさらに含み、
前記緩衝部が、前記ガイド部の端部に配置されることを特徴とする請求項２または３に記載のカメラモジュール。
【請求項５】
前記緩衝部が、
前記ボディに、前記レンズバレルの移動方向側の端部に向かって突出するように形成されることを特徴とする請求項２から４の何れか１項に記載のカメラモジュール。
【請求項６】
前記ボディが、前記レンズバレルをカバーするハウジング及び基板を含み、
前記緩衝部が、前記ハウジング及び前記基板のうち少なくとも１つに配置されることを特徴とする請求項５に記載のカメラモジュール。
【請求項７】
前記ハウジングが、前記レンズバレルの移動方向側で前記レンズバレルをカバーする隔壁を含み、
前記緩衝部が、前記隔壁に、前記レンズバレルと対向するように配置されることを特徴とする請求項６に記載のカメラモジュール。
【請求項８】
前記緩衝部が、弾性体を含んでなることを特徴とする請求項２から７の何れか１項に記載のカメラモジュール。
【請求項９】
前記緩衝部が、ゴム、シリコン及びシリコンゴムのうちの少なくとも１つを含んでなることを特徴とする請求項８に記載のカメラモジュール。
【請求項１０】
前記緩衝部が、前記レンズバレルまたは前記ボディに塗布または接着により形成されることを特徴とする請求項２から９の何れか１項に記載のカメラモジュール。
【請求項１１】
前記緩衝部が、前記レンズバレルと前記ボディとの間に介在される板状の緩衝パッドを含むことを特徴とする請求項１に記載のカメラモジュール。
【請求項１２】
前記ボディが、前記レンズバレルをカバーするハウジングを含み、
前記緩衝パッドが、前記ハウジングにおいて前記レンズバレルと対向する面に付着されることを特徴とする請求項１１に記載のカメラモジュール。
【請求項１３】
前記緩衝パッドが、弾性体を含んでなることを特徴とする請求項１１または１２に記載のカメラモジュール。
【請求項１４】
前記緩衝パッドが、ゴム、シリコン及びシリコンゴムのうちの少なくとも１つを含んでなることを特徴とする請求項１３に記載のカメラモジュール。
【発明の詳細な説明】
【技術分野】
【０００１】
本発明はカメラモジュールに関する。
【背景技術】
【０００２】
最近、携帯電話、ＰＤＡ、携帯用ＰＣなどの携帯通信端末機は、文字或いは音声データの転送だけでなく、写真撮影や画像データの転送も行っている。このような傾向に応えて写真を撮影して画像データを転送したり、画像チャットをしたりすることができるように、携帯通信端末機にカメラモジュールが基本的に設けられている。
【０００３】
このようなカメラモジュール中、フィルムまたはイメージセンサにレンズの焦点を自動で合わせるためのオートフォーカス機能を有するものもあるが、この場合、カメラモジュールのレンズバレルは光軸に沿って移動するように形成される。
【０００４】
しかし、カメラモジュールのレンズバレルが光軸方向への動きに対する自由度を有するため、外部からカメラモジュールに衝撃が加わると、レンズバレルがハウジングなどの他の部品と衝突して損傷を受けることがある。
【発明の概要】
【発明が解決しようとする課題】
【０００５】
こうした従来技術の問題点に鑑み、本発明は、レンズバレルが他の部品と衝突して衝撃を受けることを防止できるカメラモジュールを提供することを目的とする。
【課題を解決するための手段】
【０００６】
本発明の一実施形態によれば、結像部に光を入射させるレンズを支持するレンズバレルと、上記レンズバレルを光軸に沿って移動させる駆動部と、上記レンズバレルを内部に収容するボディと、上記レンズバレルと上記ボディの衝突時に上記レンズバレルと上記ボディとの間に介在される緩衝部と、を含むカメラモジュールが提供される。
【０００７】
上記緩衝部は、上記レンズバレルと上記ボディのうちの少なくとも１つから突出するように形成されてもよい。
【０００８】
上記緩衝部は、上記レンズバレルの移動方向側の端部に、上記ボディに向かって突出するように形成されてもよい。
【０００９】
上記レンズバレルは、上記レンズバレルの移動をガイドするように突出形成されたガイド部をさらに含み、上記緩衝部は、上記ガイド部の端部に配置されてもよい。
【００１０】
上記緩衝部は、上記ボディに、上記レンズバレルの移動方向側の端部に向かって突出するように形成されてもよい。
【００１１】
上記ボディは、上記レンズバレルをカバーするハウジング及び基板を含み、上記緩衝部は、上記ハウジング及び上記基板のうち少なくとも１つに配置されてもよい。
【００１２】
上記ハウジングは、上記レンズバレルの移動方向側で上記レンズバレルをカバーする隔壁を含み、上記緩衝部は、上記隔壁に上記レンズバレルと対向するように配置されてもよい。
【００１３】
上記緩衝部は、弾性体を含んでなることができる。
【００１４】
上記緩衝部は、ゴム、シリコン及びシリコンゴムのうち少なくとも１つを含んでなることができる。
【００１５】
上記緩衝部は、上記レンズバレルまたは上記ボディに塗布または接着により形成されてもよい。
【００１６】
上記緩衝部は、上記レンズバレルと上記ボディとの間に介在される板状の緩衝パッドを含むことができる。
【００１７】
上記ボディは、上記レンズバレルをカバーするハウジングを含み、上記緩衝パッドは、上記ハウジングにおいて上記レンズバレルと対向する面に付着されてもよい。
【００１８】
上記緩衝パッドは、弾性体を含んでなることができる。
【００１９】
上記緩衝パッドは、ゴム、シリコン及びシリコンゴムのうちの少なくとも１つを含んでなることができる。
【発明の効果】
【００２０】
本発明によれば、レンズバレルとボディとの衝突時に衝撃を緩和して衝突によるカメラモジュールの損傷を防止することができる。
【００２１】
なお、上記の発明の概要は、本発明の必要な特徴の全てを列挙したものではない。また、これらの特徴群のサブコンビネーションもまた、発明となりうる。
【図面の簡単な説明】
【００２２】
【図１】本発明の一実施例に係るカメラモジュールを示す分解斜視図である。
【図２】本発明の一実施例に係るカメラモジュールを示す部分切開図である。
【図３】本発明の一実施例に係るカメラモジュールのレンズバレルに設けられた緩衝部を示す斜視図である。
【図４】本発明の一実施例に係るカメラモジュールのボディに設けられた緩衝部を示す斜視図である。
【図５】本発明の他の実施例に係るカメラモジュールを示す分解斜視図である。
【発明を実施するための形態】
【００２３】
以下、本発明の実施例を添付図面を参照して詳細に説明する。
【００２４】
図１は、本発明の一実施例に係るカメラモジュールを示す分解斜視図であり、図２は、本発明の一実施例に係るカメラモジュールを示す部分切開図である。
【００２５】
本発明の一実施例に係るカメラモジュールは、レンズバレル１０、駆動部２０、ボディ３０、及び緩衝部４０を含む。
【００２６】
レンズバレル１０は、フィルムまたはイメージセンサのような結像部７に光を入射させるレンズ５を支持する部分であって、結像部７とレンズ５の焦点を合わせるために光軸６に沿って移動可能に形成される。
【００２７】
本実施例によれば、レンズバレル１０は柱状に形成され、柱状の中心線に沿ってレンズ５が配置される。また、焦点調節のために、レンズバレル１０は柱の長手方向に沿って移動可能に形成される。
【００２８】
駆動部２０は、焦点調節のために、レンズバレル１０を光軸６に沿って移動させる部分であって、レンズバレル１０を移動させるアクチュエータを含む。
【００２９】
本実施例では、レンズバレル１０の側面からレンズバレル１０を押して移動させる圧電振動子がアクチュエータとして用いられる。
【００３０】
ボディ３０は、レンズバレル１０を内部に収容する空間が形成される部分である。また、ボディ３０の内部には、レンズバレル１０のレンズ５を介して入射した光が結像されるイメージセンサまたはフィルムなどの結像部７が配置される。これによって、レンズバレル１０は、ボディ３０の内部で光軸方向に沿って移動してレンズ５と結像部７の焦点を合わせることになる。
【００３１】
具体的に本実施例のボディ３０は、カメラモジュールの部品をカバーするハウジング３２と、ハウジング３２をカバーする基板３５と、を含む。ここで、ハウジング３２はレンズバレル１０の設置を容易にするために、上部ハウジング３３と下部ハウジング３４に分離される。基板３５には光軸６上に配置されるイメージセンサが実装されている。
【００３２】
緩衝部４０は、レンズバレル１０とボディ３０の衝突時に衝撃を緩和させるための部分であって、本実施例における緩衝部４０は、衝突時にレンズバレル１０とボディ３０との間に介在されるように、レンズバレル１０とボディ３０のうちの少なくとも１つから突出形成される。これにより、緩衝部４０は外部の衝撃などでレンズバレル１０とボディ３０が衝突する場合、２つの部品が直接衝突して損傷されることを防止することができる。
【００３３】
図３は、本発明の一実施例に係るカメラモジュールのレンズバレル１０に設けられた緩衝部４０を示す斜視図である。
【００３４】
本実施例によれば、緩衝部４０は、レンズバレル１０の移動方向側の端部にボディ３０を向かって突出形成されるため、レンズバレル１０がボディ３０に衝突するとき、緩衝部４０がボディ３０に先に接触して緩衝作用を果たす。すなわち、光軸６に沿って移動するレンズバレル１０の光軸方向の端部に、ボディ３０に対向する突出形状の緩衝部４０が形成されてもよい。
【００３５】
具体的に、図３に示すように、本実施例のレンズバレル１０は上述したように柱状で、長手方向に移動可能に形成される。したがって、柱状のレンズバレル１０の上面及び下面がボディ３０と衝突する部分であるため、上面または下面に緩衝部４０が形成される。
【００３６】
特に、緩衝部４０はレンズバレル１０をガイドするガイド部１２の端部に配置されてもよい。本実施例によるレンズバレル１０は、移動する際にレンズバレル１０の移動経路をガイドするように突出形成されたガイド部１２を含むことができる。ガイド部１２は、ハウジング３２において光軸方向に形成されたガイド溝３４ｂに挿入されて移動するため、レンズバレル１０は光軸方向に沿って移動することになる。
【００３７】
ガイド部１２は、レンズバレル１０に設けられた部分であって、衝突時に衝撃を受けても相対的にレンズ５などの内部部品にあまり影響を及ぼさない部分である。したがって、ガイド部１２の端部、すなわち、レンズバレル１０の移動時にボディ３０に向かう部分に緩衝部４０を形成することにより、衝突による衝撃を最小化することができる。
【００３８】
一方、緩衝部４０はボディ３０に形成されてもよい。
【００３９】
図４は、本発明の一実施例に係るカメラモジュールのボディ３０に設けられた緩衝部４０を示す斜視図である。
【００４０】
本実施例の緩衝部４０は、ボディ３０において、レンズバレル１０の移動方向側の端部と対向する部分に突出形成されてもよい。すなわち、緩衝部４０は、光軸６に沿って移動するレンズバレル１０が近づく部分に突出形成されて、レンズバレル１０がボディ３０に衝突する場合、先にレンズバレル１０に接触して緩衝作用を果たすことができる。
【００４１】
具体的に、図４に示すように、本実施例の緩衝部４０は、レンズバレル１０をカバーするハウジング３２の隔壁３３ａ，３４ａのうちレンズバレル１０を移動方向側でカバーする隔壁３３ａ，３４ａに、レンズバレル１０と対向するように配置されてもよい。すなわち、緩衝部４０は、光軸方向に沿って移動するレンズバレル１０と衝突するハウジング３２の光軸方向の隔壁３３ａ，３４ａに、レンズバレル１０に向かって突出形成されてもよい。したがって、レンズバレル１０がボディ３０に衝突する場合、緩衝部４０が先にレンズバレル１０に接触して緩衝作用を果たす。また、緩衝部４０は、レンズバレル１０を移動方向側でカバーする基板３５に、レンズバレル１０と対向するように配置されてもよい。
【００４２】
ここで、緩衝部４０は、ゴム、シリコン及びシリコンゴムなどの弾性体からなり、衝突による衝撃を効果的に吸収することができる。また、緩衝部４０は、非粘性物質からなり、衝突後に駆動部２０を用いてレンズバレル１０とボディ３０を分離するときに、粘性による分離し難いことを解決することができる。
【００４３】
また、緩衝部４０は、接着剤のような緩衝物質をレンズバレル１０またはボディ３０に塗布したり、接着したりすることにより、容易に形成できる。
【００４４】
以下に、本発明の他の実施例に係るカメラモジュールについて説明する。
【００４５】
図５は、本発明の他の実施例に係るカメラモジュールを示す分解斜視図である。
【００４６】
図５に示すように、本実施例に係るカメラモジュールは、レンズバレル１０とボディとの間に介在される板状の緩衝パッド４５を緩衝部４０として用いる点が、上述した実施例と異なる。
【００４７】
具体的に、本実施例における緩衝パッド４５は、上部ハウジング３３においてレンズバレル１０と対向する面に付着されて設けられてもよい。これにより、上部ハウジング３３上に均一な高さの緩衝部４０を容易に形成することができる。したがって、レンズバレル１０が移動して上部ハウジング３３と衝突しても、緩衝パッド４５によりレンズバレル１０が全体的に均一に支持されることになる。
【００４８】
ここで、緩衝パッド４５は、ゴム、シリコン及びシリコンゴムなどの弾性体からなるため、衝突による衝撃を効果的に吸収することができる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５０】
５  レンズ
６  光軸
７  結像部
１０  レンズバレル
１２  ガイド部
２０  駆動部
３０  ボディ
３２  ハウジング
３３ａ，３４ａ  隔壁
３４ｂ  ガイド溝
３５  基板
４０  緩衝部
４５  緩衝パッド
【図１】
2011028267.tif 000003
【図２】
2011028267.tif 000004
【図３】
2011028267.tif 000005
【図４】
2011028267.tif 000006
【図５】
2011028267.tif 000007